(57)【要約】  染みの付いた布地を前処理するための洗剤分与キャップ。キャップは、洗剤組成物の単位容量を提供するような大きさかつ寸法にされた注ぎ容積を有することができる。キャップの一部分は、染みをこすり洗いするための表面凹凸部が備わっていてもよい。
2013536127.tif 000002
【特許請求の範囲】
【請求項１】
洗剤組成物（３００）を分与するためのキャップ（１０）であって、
基部の内部（３０）及び前記基部の内部の反対側の基部の外部（４０）を有し、前記基部の内部が周辺部（５０）を有する基部（２０）と、
内面（７０）及び前記内面の反対側の外面（８０）を有する容器壁部（６０）であって、前記容器壁部が周辺部から縁（９０）まで延び、前記内面及び前記基部の内部が注ぎ容積（１００）を画定し、前記基部の内部が注ぎ容積の閉鎖端部を形成する容器壁部と、
を含み、
前記キャップが、前記キャップ上に配置されたコネクタ（１３）、及び容器の開口部（１１２）上に配置された対応する受容部（１３２）によって、洗剤組成物を含む容器（１１０）と密閉係合され、
前記基部の外部が、その上部に配置される第１の領域（４００）及び第２の領域（４１０）を有し、前記第２の領域が前記第１の領域に隣接し、
前記第１の領域が、複数の第１の表面凹凸部（１５０）を含み、
前記第２の領域が、複数の第２の表面凹凸部（１５５）を含み、
前記第１の表面凹凸部の形状が前記第２の表面凹凸部と異なっており、複数の第１の表面凹凸部の先端部（４２０）が複数の第２の表面凹凸部の先端部と同一面内にある、キャップ（１０）。
【請求項２】
熱可塑性エラストマーが、前記第１の表面凹凸部、前記第２の表面凹凸部、及びこれらの組み合わせからなる群から選択される表面凹凸部を形成する、請求項１に記載のキャップ。
【請求項３】
前記基部の外部が基部の外部の表面積（４１）を有し、前記第１の領域が前記基部の外部の表面積の約１０％〜約９０％を構成する、請求項１又は２に記載のキャップ。
【請求項４】
前記第２の領域が、前記基部の外部の表面積の約１０％〜約９０％を構成する、請求項３に記載のキャップ。
【請求項５】
前記第１の表面凹凸部、前記第２の表面凹凸部、及びこれらの組み合わせからなる群から選択される表面凹凸部の高さ（Ｈ）が異なる、請求項１〜４のいずれか一項に記載のキャップ。
【請求項６】
前記キャップ用の使用説明（４３０）がキャップ上に文書形態又は図形形態で示される、請求項１〜５のいずれか一項に記載のキャップ。
【請求項７】
前記第１の表面凹凸部及び前記容器壁部が互いに異なる化学組成を有する材料からなる、請求項１〜６のいずれか一項に記載のキャップ。
【請求項８】
前記縁の一部が注ぎ口（９２）の形状を有する、請求項１〜７のいずれか一項に記載のキャップ。
【請求項９】
前記基部の外部が基部の外部の表面積を有し、前記第１の領域が基部の外部の表面積の５０％未満を構成し、前記領域が注ぎ口の形状を有する前記縁の一部と概ね位置合わせされる、請求項１〜８のいずれか一項に記載のキャップ。
【請求項１０】
前記第１の表面凹凸部は、リング（１５８）、リブ（１５２）、突起部（１５４）、毛（１５６）、繊維、及びこれらの組み合わせからなる群から選択される構造体である、請求項１〜９のいずれか一項に記載のキャップ。
【請求項１１】
前記第２の表面凹凸部が、リング、リブ、突起部、毛、繊維、及びこれらの組み合わせからなる群から選択される構造体であり、前記第１の表面凹凸部及び前記第２の表面凹凸部が互いに異なる構造体である、請求項１〜１０のいずれか一項に記載のキャップ。
【請求項１２】
前記第１の表面凹凸部が毛を含む、請求項１〜１１のいずれか一項に記載のキャップ。
【請求項１３】
前記毛が、約０．５超のアスペクト比を有する概ね円柱状の毛である、請求項１２に記載のキャップ。
【請求項１４】
前記コネクタがねじ山（１３４）であり、前記受容部が対応するねじ山である、請求項１〜１３のいずれか一項に記載のキャップ。
【請求項１５】
前記容器壁部が前記第１の表面凹凸部を超えるショアＡ硬度を有する、請求項１〜１４のいずれか一項に記載のキャップ。
【発明の詳細な説明】
【技術分野】
【０００１】
染みの付いた布地を前処理するための洗剤分与キャップ。
【背景技術】
【０００２】
染みの付いた衣類は、改善され得る洗濯の一態様であり続けている。染みを処理するための様々な市販のアプローチが存在する。１つのアプローチでは、消費者は、染みを処理する能力を有するとして謳われている洗剤を用いて洗浄するにすぎない。かかるアプローチは、染みが軽く、かつ油脂性でない場合は良好に機能する傾向にある。染みがしつこい場合には、洗剤の化学成分が洗浄中に薄まり、染みにおいて濃縮されないため、染みは取り除かれない場合がある。これは洗浄サイクルの完了時に、染みが依然として見えているということを消費者が認める場合、消費者が満足しない場合がある。洗浄後に染み処理が成功する可能性は、特に、染みの付いた衣類が乾燥するまで（染み除去の）失敗が検出されない場合は、限定されている。
【０００３】
一部の液体洗剤は染みを前処理するのに使用されたときに、少量の洗剤を衣類の染みの付いた一部分に局所的に塗布することによって効果的であり得る。多くの消費者は染みを前処理するために液体洗剤を使用せず、これは彼らがそのような実施は染みを処理するために上手く使用され得るということを知らず、かつこの実施はやっかいであり、面倒であるためである。したがって、多くの消費者は専門の染み処理助剤を使用する。
【０００４】
染み処理助剤は、染み処理助剤を染み上に直接噴霧することによって、すなわち噴出させることによって、又は染みをこすり洗いするために染み処理助剤で浸漬したワイプを使用することによって、液体の形体で塗布され得る。一部の染み処理助剤は、布地における染みの処理を支援するための電動式ブラシ又はこすり洗い器具を含む。
【０００５】
一般的な消費者は、家庭における染み処理のための現在利用可能なアプローチにおいて、煩雑さを被る。消費者はまず、洗剤、染み処理助剤、及び任意の付随のデバイス、又は交換デバイスを忘れずに購入しなければならない。消費者は次いで、洗濯機の近くにこれらの品目の全てを保管する。次いで、消費者は染みの付いた衣類が洗濯機内に配置される前に忘れずに染みを識別し、これらを処理しなければならない。消費者は次いで、染み処理助剤を配置し、染み処理助剤を染みに塗布するためのパッケージ又はデバイスを操作しなければならない。消費者は次いで、頻繁に、洗濯機の付近に見苦しく集めた洗濯製品と一緒に、染み処理助剤を保管する。消費者はしばしば、このステップの後に、一般的な染み処理助剤の脂っぽい感触を避ける、又は染み処理助剤が他の表面、洗濯機制御部、及び洗剤パッケージに移るのを避けるために手をすすぐ。消費者は次いで、洗濯洗剤を開封し、適切な投与量を量り、洗剤の投与量を洗濯機に送達する。最後に、消費者は洗濯洗剤を保管する。特に消費者の時間及び精神集中における他のあらゆる要求を考えると、この複数のプロセスは決して望ましい消費者経験ではない。
【発明の概要】
【発明が解決しようとする課題】
【０００６】
これらの制限を念頭に置いた上で、染みを適切に処理するように直感的又は直接的に提案し、消費者が直感的に確実に塗布し、塗布が容易であり、かつ良好に機能する、染みを処理するためのデバイス及びアプローチに対する、依然として満たされていない必要性が存在する。
【課題を解決するための手段】
【０００７】
洗剤組成物を分与するためのキャップ。キャップは、周辺部を有する基部の内部及び基部の内部と反対側の基部の外部を有する基部を含む。キャップは、内面、及びこの内面と反対側の外面を有する容器壁部を含み、容器壁部は周辺部から縁まで延びる。内面及び基部の内部は共に注ぎ容積を画定することができ、基部の内部は、注ぎ容積の閉鎖端部を形成する。キャップは容器に圧力嵌めによって解放可能に取り付け可能、かつ容器から取り外し可能であり、この容器は洗剤組成物を含む。キャップは、外面上、基部の外部上、及びこれらの組み合せからなる群から選択される位置に複数の第１表面凹凸部を更に含み得る。
【図面の簡単な説明】
【０００８】
【図１】第１表面凹凸部を有するキャップの概略図。
【図２】リブを例示する概略図。
【図３】突起部を図示する概略図。
【図４】毛を図示する概略図。
【図５】リングを図示する概略図。
【図６】注ぎ棚部、開口部、及び第１表面凹凸部を有するキャップの概略図。
【図７】注ぎ棚部、開口部、及び第１表面凹凸部を有するキャップの概略図。
【図８】第２表面凹凸部を有するキャップの概略図。
【図９】第２表面凹凸部を有するキャップの概略図。
【図１０】注ぎ口を有するキャップの概略図。
【図１１】注ぎ口を有するキャップの概略図。
【図１２】第２表面凹凸部及び注ぎ口を有するキャップの概略図。
【図１３】第１表面凹凸部、注ぎ棚部、開口部、及び先端部を有するキャップの概略図。
【図１４】基部の外部上に第１領域及び第２領域を有するキャップの概略図。
【図１５】図１４に示されるキャップのプロファイル図。
【発明を実施するための形態】
【０００９】
図１は、染みを前処理するのに使用され得る洗剤組成物３００を分与するためのキャップ１０の実施形態を例示する。洗剤組成物は界面活性剤を含んでもよい。洗剤組成物３００は界面活性剤及び漂白剤化合物を含んでもよい。洗剤組成物３００は界面活性剤及び酵素を含んでもよい。キャップ１０は基部２０を含む。基部２０は基部の内部３０、及び基部の内部３０と反対側の基部の外部４０を有する。基部の内部３０は周辺部５０を有する。基部２０は、材料の単一層、例えば高密度ポリエチレン若しくはポリプロピレン、多層化材料、中空部材、又は洗濯洗剤組成物３００の容器１１０のキャップ１０に使用されるのに十分な構造的一体性を有する、任意の他のこのような構造体又は材料であってよい。洗剤組成物３００は界面活性剤を含んでもよい。基部の外部４０は、センチメートルの尺度で測定されたとき、テーブル、又は洗濯機若しくは乾燥機の平坦な一部分など、実質的に平坦である他の表面上に安定して設定され得る表面構成を提供することができる。かかる表面構成は概ね平坦な表面、又は起伏のある表面構成であってもよい。基部２０が平坦な表面上に設定されたとき、容器１１０からの洗剤組成物３００は、キャップ１０の注ぎ容積１００内に注ぐことができ、キャップ１０は、洗剤組成物３００が注ぎ容積１００に注がれるとき、容易に横転しない。
【００１０】
容器壁部６０は周辺部５０から縁９０まで延びる。容器壁部６０は、キャップの長手方向軸Ｌを中心に延びる。容器壁部６０は内面７０、及び内面７０と反対側の外面８０を有する。容器壁部６０は、材料の単一層、例えば高密度ポリエチレン若しくはポリプロピレン、多層化材料、中空部材、又は洗濯洗剤組成物３００の容器のキャップ１０として使用されるのに十分な構造的一体性を有する、任意の他のこのような構造体又は材料であってよい。内面７０は、洗剤組成物３００の適切な単位用量を提供する所望のレベルの洗剤組成物３００にマークを付ける、１つ以上のしるし６２を備えてもよい。しるし６２は、エッチング、凹部、隆起部、印刷、又は消費者によって観察可能である任意の他の構造体であり得る。容器壁部６０は円筒部分であってもよい。
【００１１】
内面７０及び基部の内部３０は共に注ぎ容積１００を画定し、基部の内部３０は、注ぎ容積１００の閉鎖端部を形成する。注ぎ容積１００は、洗剤組成物３００の単位容量を提供するような大きさかつ寸法にされ得る。洗剤組成物３００は、液体洗剤組成物３００は、ＴＩＤＥ（Ｔｈｅ  Ｐｒｏｃｔｅｒ  ＆  Ｇａｍｂｌｅ  Ｃｏ．（Ｃｉｎｃｉｎｎａｔｉ，ＯＨ，ＵＳＡ）から入手可能）など例えば市販されている任意の液体洗剤などの液体洗剤組成物３００であってもよい。一実施形態では、内面７０及び基部の内部３０は共に、カップの閉鎖端を形成する基部の内部３０を備える開口した又は部分的に開口したカップを形成する。長手方向軸Ｌは、縁９０によって又は縁９０によって部分的に画定されるキャップ１０の開口端部の開口部分を通じて延びることができる。
【００１２】
容器壁部６０の内面７０は、長手方向軸Ｌを中心とした回転面によって画定され得る。一実施形態では、容器壁部６０の内面７０は、中空の円筒の内面の一部分によって画定され得る。長手方向軸Ｌに平行でない関数の回転面、及び、非線型関数の回転面が考慮される。回転面である容器壁部６０の内面７０を有するキャップ１０は、キャップ１０の製造の容易さをもたらすことができ、製造及びパッケージング中に、洗剤組成物３００で容器１１０を充填した後、キャップ１０を容器１１０と係合する。
【００１３】
キャップ１０は、洗剤組成物３００を含む容器１１０に密封係合され得る。密封係合されることによって、キャップ１０は、容器１１０及びその内部に保管された洗剤組成物３００の製造、パッケージング、搬送、取り扱い、保管、及び使用中に生じる、キャップ１０及び容器１１０への応力下において、許容されない量の洗剤組成物３００を容器から漏洩しない。キャップ１０はキャップ１０上に配置されたコネクタ１３０、及び容器の開口部１１２上に配置された対応の受容部１３２によって密閉係合され得る。コネクタ１３０及び対応の受容部１３２は、突起部及び溝部の組み合わせであってもよく、この組み合わせは、突起部がコネクタ１３０若しくは受容部１３２であってもよく、溝部は、突起部でないコネクタ１３０及び受容部１３２のいずれかであるように、配置される。コネクタ１３０及び受容部１３２は、キャップ１０及び容器１１０上に螺旋状に設けられた、対応する配置されたねじ山１３４に連結してもよい。すなわち、コネクタ１３０はねじ山であってよく、かつ受容部１３２は対応するねじ山であってもよい。キャップ１０は、キャップ１０上に螺旋状に配置されたでねじ山１３４、及び容器１１０の開口部１１２上に対応して配置されたねじ山１３４によって容器と密閉係合されてもよい。キャップ１０は、コネクタ１３０が容器１１０上で受容部１３２と動作可能に係合され得るように、任意の好適な位置に、コネクタ１３０を備えてもよい。コネクタ１３０は、容器壁部６０の外面８０上に配置されてもよい。コネクタ１３０は、容器壁部６０の内面７０上に配置されてもよい。キャップ１０は、ねじ山１３４がコネクタ１１０と動作可能に係合され得るように、任意の好適な位置に、ねじ山１３４を備えてもよい。ねじ山１３４は容器壁部６０の外面８０上に配置されてもよい。ねじ山１３４は、容器壁部６０の内面７０上に配置されてもよく、これはキャップ１０の、より清浄な使用をもたらすことができる。キャップ１０は、圧入によって容器１１０に解放可能に取り付け可能であり、かつそこから取り外し可能であってもよい。
【００１４】
図１に示すように、縁９０は堰１６０を有してもよい。堰１６０は、キャップ１０からの洗剤組成物３００の流量を抑制することによって、少量の洗剤組成物３００が染みに塗布されたとき、布地の染みに洗剤組成物３００の、より正確な送達を提供することができる。堰１６０は、Ｖ形状、半円の形状、台形の形状、動水半径を記述する不連続関数を有するマルチレベルの堰、又は洗剤組成物３００の流量を抑制する任意の他のかかる形状を含む、堰の任意の一般的な形状であってもよい。
【００１５】
キャップ１０は、縁９０上、コネクタ１３０と縁９０間の外面８０上、及びこれらの組み合わせからなる群から選択される位置に、複数の第１表面凹凸部１５０を含むことができる。例えば、図１に示されるように、第１表面凹凸部１５０は、縁９０上、及びコネクタ１３０と縁９０との間にあるとして示される。第１表面凹凸部１５０は、縁９０上であってもよい。第１表面凹凸部１５０は、縁９０の約５ｍｍ内であってもよい。第１表面凹凸部１５０は、縁９０上、又は縁９０の約５ｍｍ内であってもよい。第１表面凹凸部１５０は、縁９０上、かつキャップ１０上に設けられたコネクタ１３０と、縁９０との間であってもよい。消費者がキャップ１０を把持し、注ぎを実行するとき、いったん注がれると、そのように配置された第１表面凹凸部１５０は、消費者がその手にキャップを再配置する必要なく、第１表面凹凸部１５０を用いて、布地上の染みをこすり洗いするために使用される。更に、第１表面凹凸部１５０を配置することによって、例えば前処理し、洗剤組成物３００を投与するためにキャップ１０を使用した後など、その上に少量の洗剤組成物３００を有する場合がある第１表面凹凸部１５０、容器１１０内部のいずれかの乱雑状態を保持することができは、容器１１０の開口部１１２内に戻して適合される。
【００１６】
染み前処理プロセスの一部として、布地内の染みに洗剤組成物３００が塗布される前又は後に、第１表面凹凸部１５０は、染みの付いた布地に対してこすることができる地形学的に多用な表面を提供することができる。地形学的に多用な表面は、平滑でない表面である。布地上の染みに対してこすられるとき、第１表面凹凸部１５０は、染みの凝集を除去し、布地の繊維構造を変形させ、洗剤組成物３００が繊維構造に、より完全に浸透するのを可能にし、布地の繊維を操作することによって、繊維のより大きな表面積が洗剤組成物３００によって湿潤されるのを可能にするのを助けると考えられる。理論に束縛されるものではないが、染みの凝集を除去すること、洗剤組成物３００を用いて、より完全に染みの付いた布地に浸透すること、及び繊維のより大きな表面積に洗剤組成物３００を塗布することは、布地の染みの前処理の有効性を改善することができると考えられる。
【００１７】
複数の第１表面凹凸部１５０は、複数の第１表面凹凸部１５０に隣接するキャップ１０の部分の表面トポグラフィとは異なる表面トポグラフィを有することができる。第１表面凹凸部１５０は、複数のピークと、隣接するピーク同士の間に振幅及び約０．１ｍｍよりも大きい低い部分を有する複数の低い部分と、を有する表面を提供することができる。第１表面凹凸部１５０は、複数のピークと、隣接するピーク同士の間に振幅及び約０．２ｍｍよりも大きい低い部分を有する複数の低い部分と、を有する表面を提供することができる。第１表面凹凸部１５０は、複数のピークと、隣接するピーク同士の間に振幅及び約０．５ｍｍよりも大きい低い部分を有する複数の低い部分と、を有する表面を提供することができる。第１表面凹凸部１５０は、複数のピークと、隣接するピーク同士の間に振幅及び約１ｍｍよりも大きい低い部分を有する複数の低い部分と、を有する表面を提供することができる。低い部分は谷部分であってもよい。複数の第１表面凹凸部１５０は、領域に隣接するキャップ１０の部分の表面トポグラフィとは異なる表面トポグラフィを有する領域を画定することができる。第１表面凹凸部１５０は、断続的に配置された凹んだ部分を有する、一連の上昇した部分であってもよい。凹んだ部分は連続的であってもよい。上昇した部分は連続的であってもよい。
【００１８】
縁９０は、第１表面凹凸部１５０と概ね位置合わせされる堰１６０を有してもよい。かかる実施形態では、「概ね位置合わせされる」によって、堰１６０及び第１表面凹凸部１５０は、長手方向軸Ｌを中心２５に、互いに少なくとも約０．２５πラジアン内であるということを意味する。例えば、図１に示されるように、堰１６０は第１表面凹凸部１５０と位置合わせされてもよい。キャップ１０のユーザーが染みを前処理するために、堰１６０にわたって洗剤組成物３００を分与するとき、消費者は、ユーザーが染みに対して第１表面凹凸部１５０をこするために、その手を再配置する必要がないような位置でキャップ１０を保持しているため、かかる実施形態は実用的であり得る。更に、消費者が注ぎを観察するとき、消費者は第１表面凹凸部１５０を見る可能性があり、これは消費者に、第１表面凹凸部１５０を使用して染みをこすり洗いするための視覚的合図を提供する。
【００１９】
更に、そのように配置された第１表面凹凸部１５０を用いて、ユーザーは、単位用量の注ぎが始められたとき、第１表面凹凸部１５０を見ることができる。これは、消費者にとって、染みを前処理する前に洗面器に単位用量を注ぐときに、消費者が第１表面凹凸部１５０を見る場合、消費者にとって、染みを前処理するリマインダーとして実用的であり得る。
【００２０】
一実施形態では、第１表面凹凸部１５０は第１材料を含み、第１材料の隣のキャップ１０の他の部分は第２材料を含んでもよく、第１材料及び第２材料は互いに異なる。一実施形態では、第１表面凹凸部１５０は第１材料を含んでもよく、第１材料の隣のキャップ１０の他の部分は、第２材料を含んでもよく、第１材料及び第２材料は、弾性係数、化学組成、ショアＡ硬度、色、及びこれらの組み合わせよりなる群から正しく選択されることによって、互いに異なる。ショアＡ硬度は、材料が評価されるとき、同じ組成物の材料でＡＳＴＭ  Ｄ２２４０に従って測定される。第１材料から構成される第１表面凹凸部１５０を含むキャップ１０、及び第２材料を含む第１材料の隣のキャップ１０の他の部分は、第１材料及び第２材料が別個のショットで成形型に送達される２ショットの射出成形プロセスによって形成されてもよい。一実施形態では、第１材料は、ポリプロピレン、ゴム、ネオプレン、及び／又はＫＲＡＴＯＮを含んでもよい。一実施形態では、第１材料の隣のキャップ１０の部分は、高密度ポリエチレン、ポリプロピレン、ポリアミド、スチロールアクリロニトリル（styro lacrylintrol）であってもよい。第１表面凹凸部はエラストマー材であってもよい。
【００２１】
一実施形態では、より低いショアＡ硬度又はより低い弾性係数によって示され得るように、第１材料はユーザーにとって、第２材料よりも、より柔軟な感触を有してもよい。第２材料は、洗剤組成物３００のパッケージング、保管、搬送、及び展示中、並びに染みを前処理するために消費者によるキャップ１０の使用中に、許容可能な全体の構造的安定性を提供するように選択されてもよい。より容易に変形可能な第１材料は、第２材料から形成されたこすり表面よりも、処理される布地上に穏やかであり、かつ処理される布地を損傷させる場合がないこすり洗い表面を提供してもよい。第１材料は約２０〜約８０のショアＡ硬度を有してよい。第１材料は約４０〜約６０のショアＡ硬度を有してよい。第１材料は、第１材料の隣のキャップ１０の一部分のショアＡ硬度の約８０％未満であるショアＡ硬度を有してもよい。
【００２２】
第１材料及び第２材料を２つの異なる色で提供することは、キャップ１０のどの部分が、染みをこすり洗いするために使用されるように設計されているかということを素早く識別するのを助けることができ、キャップの製造及び／又は組み立て、並びに洗剤組成物３００のパッケージング中にキャップ１０を位置決めするのに使用され得る視覚システムにとって有用であり得る。異なる化学組成を有するように第１材料及び第２材料を提供することは、キャップ１０のために、キャップ１０のどの異なる部分が異なる機能（例えば、キャップの１つの部分はこすり洗いに関して実用的かつ耐久性があり、キャップ１０の他の部分は構造的安定性を提供する）を提供するために設計されているということを生じさせることができる。
【００２３】
潜在的に、より清浄な染みの前処理プロセスを提供するために、キャップ１０は、容器壁部６０の外面８０を少なくとも部分的に包囲するコレクタ２５０を提供することができ、この実施例は図１に示されている。コレクタ２５０は、容器壁部６０の外面を少なくとも部分的に囲む、又はこれを囲むことができる。コレクタ２５０は、洗剤組成物３００がキャップ１０から分与されたとき、縁９０又は開口部から滴る場合がある洗剤組成物３００の容積の保持を提供することができる。コレクタ２５０の一部分は、容器壁部６０の外面８０から離間されてもよい。コレクタ２５０における空間及び外面８０によって画定される保持容積は、縁９０、堰１６０、又は開口部と、キャップ１０上に配置されたコネクタ１３０との間の洗剤組成物３００の流量の水力経路に沿って配置され得る。コレクタ２５０は、コネクタ１３０に洗剤組成物３００がない状態を保持するのを助けることによって、消費者が洗剤組成物３００と物理的に接触する場合がある可能性を低減する。コレクタ２５０は、容器１１０の開口部１１２に適合するような大きさかつ寸法であってもよく、これによって、キャップ１０が前処理デバイスとして使用された後、容器１１０に再び取り付けられるとき、コレクタに捕獲された洗剤組成物３００が容器１１０に戻って滴る。
【００２４】
複数の第１表面凹凸部１５０は、リング、リブ１５２、突起部、毛、繊維、及びこれらの組み合わせからなる群から選択される構造体であり得る。リブは、上昇した部分に対して窪んでいる、断続的に配置された細長い凹んだ部分を備える複数の細長い上昇した部分である。リブ１５２は例えば、基材にエッチングされた、又は成形された複数の隣接した溝部であってもよく、並びに複数の隣接した隆起部であってもよい。リブは、例えば基材に複数の隣接した溝部をエッチングすることによって、複数の隣接した溝部を背後に残すように基材を成形することによって、及び複数の隣接した隆起部を背後に残すように基材を成形することによって、基材に形成されてもよい。第１表面凹凸部１５０を有するキャップ１０の一部分及び／又は複数のリブ１５２を有する第２表面凹凸部を形成することができる基材の実施例は、図２に概略的に例示されている。リブ１５２は、直線縁部及び円形を含め、任意の所望の断面を有してもよい。リブ１５２は、それらの長さに沿って湾曲していてもよい。リブ１５２は、布地を効果的にこすり洗いし、マッサージすることができる、凹凸のあるトポグラフィを提供すると考えられる。
【００２５】
突起部１５４は、隣接する部分に対して上昇している、又は窪んでいる、概ね二次元の対称的な形状であり、その実施例の概略は図３に示されている。突起部は、非限定的な実施例によって、半球の一部分の形状を有する上昇した部分若しくは窪んだ部分、又は直径Ｄの半分未満である高さＨを有する円筒の形状を有する上昇した部分若しくは窪んだ部分であり得る。第１表面凹凸部１５０を有するキャップ１０の一部分及び／又は複数の突起部１５４を有する第２表面凹凸部１５５を形成することができる基材の実施例は、図３に概略的に例示されている。突起部１５４は、布地を効果的にこすり洗いし、マッサージすることができる、凹凸のあるトポグラフィを提供すると考えられる。
【００２６】
複数の毛１５６を有するキャップ１０の一部分の実施例は、図４に概略的に例示されている。毛１５６は、約０．５よりも大きい直径Ｄに対する高さＨのアスペクト比を有するフィラメントである。直径Ｄは、毛１５６がキャップ１０から延びる位置である毛の基部において測定される。毛１５６の高さＨは、そこから毛１５６の基部が、毛１５６と共に延びる表面に直交して測定され、毛１５６は、毛１５６の基部がそこから延びる表面から直交して延びる。毛１５６は、そこから毛１５６の基部が延びる表面から延びるとき、自立する形状を有することができる。非円筒形の断面を有する毛１５６に関して、直径Ｄは、そこから毛１５６がキャップ１０から延びる位置に、毛１５６の断面積と同じ断面積を有する円筒形の直径であるようにとられる。フィラメントは別個のフィラメントであってもよい。毛１５６は、約１よりも大きい、直径Ｄに対する高さＨのアスペクト比を有するフィラメントであってもよい。毛１５６は、約０．５よりも大きい、直径Ｄに対する高さＨのアスペクト比を有するフィラメントであり得る。毛１５６は概ね円柱状の毛１５６であってもよい。毛１５６は、布地を効果的にこすり洗いし、マッサージすることができる、粗い質感／トポグラフィを提供すると考えられる。毛１５６は中空であってもよい。毛１５６は、固定された端部２５６及び自由端２５７を有してもよい。毛１５６は約１ｍｍ〜約１０ｍｍの高さを有してよい。毛１５６は約３ｍｍ〜約７ｍｍの高さを有してよい。毛１５６は約７ｍｍ未満の高さを有してよい。
【００２７】
リング１５８は閉鎖形状であり、その中では形状の中央部分１５９は形状の周辺部分１６１に対して凹んでおり、その概略的な実施例は図５に示されている。リング１５８は、布地を効果的にこすり洗いし、マッサージすることができる、凹凸のあるトポグラフィを提供するという点で実用的であると考えられる。リングは約０．５ｍｍ〜約３ｍｍの高さを有してよい。リングは約２ｍｍ未満の高さを有してよい。リングは約１．５ｍｍの高さを有してよい。
【００２８】
繊維が織布、不織布、フック又はループ式の繊維であってもよく、例えば所望の位置に、キャップ１０に取り付けられている織布又は不織布繊維によって提供されてもよい。キャップ１０の安価で、かつ容易に製造された実施形態は、第１表面凹凸部１５０として繊維を使用することによって作製され得る。
【００２９】
少量の洗剤組成物３００の改良された制限のある注ぎを提供するキャップ１０も検討される。例えば、キャップ１０は、容器壁部６０又は縁９０からそれを通じて延びる開口部２２０を有する注ぎ棚部２１０を備えてもよく、その実施例は図６に示されている。開口部２２０は、別個かつ正確な注ぎを提供することができる。
【００３０】
開口部２２０は、第１表面凹凸部１５０と概ね位置合わせされてもよい。かかる実施形態では、「概ね位置合わせされる」によって、開口部２２０及び第１表面凹凸部は、長手方向軸Ｌを中心に、互いに少なくとも約０．２５πラジアン内であるということを意味する。
【００３１】
図６に例示されるように、注ぎ棚部２１０は、容器壁部６０又は縁９０から長手方向軸Ｌの方へ戻って延びてもよい。染みの付いた布地上への少量の洗剤組成物３００の注ぎを開始するためにキャップ１０が僅かに傾けられているとき、キャップ１０から開口部２２０を通じて洗剤組成物３００が分与されるのを可能にすることによって、注ぎ棚部２１０は、消費者が、染みの付いた布地に塗布される洗剤組成物３００の量を限定するのに役立つことができる。いったん正確な量の洗剤組成物３００が染みの付いた布地に塗布されると、キャップ１０に残っている洗剤組成物３００は、洗濯機の上で更にキャップ１０を傾けることによって洗濯機に投与することができ、洗濯組成物３００がキャップ１０から完全に注がれるのを可能にする。更なる便利性のために、開口部２２０は第１表面凹凸部１５０と概ね位置合わせされてもよく、これによってユーザーは第１表面凹凸部１５０を用いて染みの付いた布地のこすり洗いを始めるために、キャップ１０をその手に再配置する必要がない。
【００３２】
図７に示されるように、他の代替の配列では注ぎ棚部２１０は容器壁部６０又は縁９０から延びることができ、開口部２２０は注ぎ棚部２１０と基部２０との間の容器壁部６０にあり、開口部２２０は第１表面凹凸部１５０と概ね位置合わせされる。かかる実施形態では、「概ね位置合わせされる」によって、開口部２２０及び第１表面凹凸部１５０は、長手方向軸Ｌを中心に、互いに少なくとも約０．２５πラジアン内であるということを意味する。
【００３３】
消費者によって洗剤組成物３００が少量で注がれたとき、注ぎ棚部２１０は、洗剤組成物３００の流量の制限を提供するような大きさにされ、寸法にされ、及び配置されてもよい。注ぎ棚部２１０の一部分は容器壁部６０又は縁９０から戻って、長手方向軸Ｌの方へ延びてもよく、かつ長手方向軸Ｌに直交する面内にあってもよい。注ぎ棚部２１０の部分は面内の容器壁部６０又は縁９０から、長手方向軸Ｌに直交する約±０．５πラジアン内の面内に戻るように延びてもよい。注ぎ棚部２１０の一部分は注ぎ容積１００において下方に基部の内部３０に向かって更に延びてもよい。かかる設計は、前処理中に染みに送達される洗剤組成物３００の量の改善された制御を提供し得る。
【００３４】
図８に示されるように、コネクタ１３０が縁９０と第２表面凹凸部１５５との間であるように、キャップ１０の外側でキャップが複数の第２表面凹凸部１５５を含む実施形態もまた検討される。キャップ１０は第２表面凹凸部１５５を有することができ、第１表面凹凸部１５０を有することができない。コネクタ１３０が縁９０と第２表面凹凸部１５５との間であるように、かつ場合によってはキャップ上の他の場所には提供されように、キャップのこすり洗い表面はキャップの外側に提供されてもよい。キャップ１０は、基部の外部４０の一部分上、外面８０の一部分上、及びこれらの組み合わせからなる群から選択される位置に、複数の第２表面凹凸部１５５を含んでもよい。
【００３５】
第２表面凹凸部１５５が、長手方向軸Ｌを中心に非対称に配置されながら、外面８０上で、第２表面凹凸部１５５は、長手方向軸Ｌを中心に非対称に配置され、基部の外部４０上では第２表面凹凸部１５５が毛１５６を含みながら、外面８０上では第２表面凹凸部１５５が毛１５６を含みながら、及びこれらの組み合わせの状態で、キャップ１０は前述の基部の外部４０上からなる群から選択される位置に、複数の第２表面凹凸部１５５を含むことができる。かかる実施形態では、第２表面凹凸部１５５は、コネクタ１３０が縁９０と第２表面凹凸部１５５との間にあるように配置され得る。第２表面凹凸部１５５は、第１表面凹凸部１５０に関して上記の構造体のいずれかであってもよい。第２表面凹凸部１５５は、リング１５８、リブ１５２、突起部１５４、毛１５６、繊維、及びこれらの組み合わせからなる群から選択される構造体であってもよい。
【００３６】
第２表面凹凸部１５５を、消費者が少量の洗剤組成物３００を分与して、染みを前処理するように、第２表面凹凸部１５５が配置されるように、第２表面凹凸部１５５を配置することによって、第２表面凹凸部１５５は、ユーザーがキャップ１０をその手に再配置する、又は適切な位置において染みに対してこすられるために第２表面凹凸部を位置決めすることができるように、その手を大きく動かす必要がないように、配置される。
【００３７】
第２表面凹凸部１５５は第１材料を含んでもよく、第１材料の隣のキャップ１０の他の部分は、第２材料を含んでもよく、第１材料及び第２材料は、弾性係数、化学組成、ショアＡ硬度、色、及びこれらの組み合わせから選択される特性において、互いに異なる。かかる構成は同じ方式で、キャップ１０に関して上記と同じ理由のために提供されてもよく、ここでは第１表面凹凸部１５５はキャップ１０の他の部分と異なる材料から形成される。
【００３８】
第２表面凹凸部１５５が、長手方向軸Ｌを中心に非対称に配置される実施形態は、キャップ１０のどの部分が、前処理中に染みをこすり洗いするために提供されるかということを消費者が識別するのを助けることができる。非対称に配置されることによって、非対称に配置された第２表面凹凸部１５５が、外面８０又は基部の外部４０上の第２表面凹凸部１５５が単一位置（例えば長手方向軸Ｌ上のある点又は他の点など）付近でバランスがとられないように配置される。キャップ１０は、外面８０及び／又は基部の外部４０上に複数の把持凹凸部２６０を含んでもよく、把持凹凸部２６０は、容器１１０からキャップ１０を取り外すとき、消費者がキャップを把持するのを助ける構造体を提供するために所定の位置の付近に均一に分散され得る。把持凹凸部２６０は、１回対称、例えば長手方向軸Ｌ上のある点を通過する折れ目を有するように、ある位置の付近で外面８０及び／又は基部の外部４０上で対称に分布してもよい。
【００３９】
第２表面凹凸部１５５は、第１材料から構成されてもよく、把持凹凸部２６０は第２材料から構成されてもよく、第１材料は第２材料とは、弾性率、化学組成、色、ショアＡ硬度、及びこれらの組み合わせから選択される特性において異なる。かかる構成は、こすり洗い器具として使用されるように設計されているキャップ１０の部分をユーザーが識別するのを助けることができる。
【００４０】
キャップ１０は、注ぎ棚部２１０が容器壁部６０又は縁９０からそれを通じて延びる開口部２２０を有し、開口部２２０は第２表面凹凸部１５５と概ね位置合わせされている、あるいは注ぎ棚部２１０は容器壁部６０又は縁９０から延び、開口部２２０は、注ぎ棚部２１０と基部２０との間で容器壁部６０にあり、開口部２２０は第２表面凹凸部１５５と概ね位置合わせされる、キャップ１０であってもよい。かかる実施形態の態様の実例は図８に示されている。
【００４１】
図９に示されているように、縁９０は堰１６０を有する場合があり、堰１６０は第２表面凹凸部１５５と概ね位置合わせされ得る。かかる実施形態では、「概ね位置合わせされる」によって、堰１６０及び第２表面凹凸部１５５は、長手方向軸Ｌを中心に、互いに少なくとも約０．２５π内であるということを意味する。かかる実施形態では、ユーザーがキャップ１０を傾け少量の洗剤組成物３００を染みに送達するとき、第２表面凹凸部１５５は自然に染みに近接して配置され、ユーザーはキャップ１０を更に傾ける又はキャップ１０をその手に再配置する必要なく、こすり洗いの動作を容易に開始することができる。
【００４２】
第２表面凹凸部１５５がリブ１５２である実施形態が図９に示されている。図９に示されるように、リブ１５２は、リブ１５２のパターンが外面８０の周囲にわたって延びないパターンで、長手方向軸Ｌを中心に非対称に配置される。把持凹凸部２６０のパターンは、把持凹凸部２６０のパターンが、外面８０の周囲にわたって延びるように、長手方向軸Ｌを中心に均一分散される。図９に示されるように、第２表面凹凸部１５５及び第１表面凹凸部１５０は、存在する場合、互いに概ね位置合わせされ得る。かかる実施形態では、「概ね位置合わせされる」によって、第１表面凹凸部１５０及び第２表面凹凸部１５５は、長手方向軸Ｌを中心に、互いに少なくとも約０．２５πラジアン内であるということを意味する。かかる実施形態は、消費者に、彼らがこすり洗いのために使用することを望むキャップの部分の選択を与えるために提供することができる。キャップ１０にある量の洗剤組成物３００が残っている場合、消費者は第２表面凹凸部１５５の使用を好む場合がある。消費者は、異なるタイプの染みに対する有効性に基づいて、第１表面凹凸部１５０と第２表面凹凸部１５５との間で選択することができる。
【００４３】
キャップ１０が第１表面凹凸部１５０及び第２表面凹凸部１５５の両方を有する場合、第２表面凹凸部１５５は第１表面凹凸部１５０に対して、物理的構造において実質的に同一であってもよい。かかる実施形態では、「実質的に同一」とは、第１表面凹凸部１５０及び第２表面凹凸部１５５は、異なるとしても、尺度又は寸法においてのみ異なる、同じ幾何学的特徴を有するということを意味する。例えば、第２表面凹凸部１５５が突起部１５４である場合、第１表面凹凸部もまた突起部１５４であってもよい。それぞれの位置における突起部１５４は同じ幾何学的特徴を有してもよく、突起部１５４の尺度又は寸法においてのみ異なっていてもよい。一実施形態では、第２表面凹凸部１５５はリブ１５２であってもよく、第１表面凹凸部１５０もまたリブ１５２であってもよい。かかる実施形態は、容器１１０が小売店において陳列されているとき、キャップ１０が容器１１０と係合されるとき、第１表面凹凸部１５０が見えにくくなる設計を提供してもよい。第２表面凹凸部１５５は、この状態では消費者にとって見えるため、第２表面凹凸部１５５は、消費者がパッケージを開ける必要なく、見えにくい第１表面凹凸部１５０がどのように見えるかについて消費者に対する目安を提供することができる。これは、消費者が購入の前に、キャップ１０に第１表面凹凸部１５０が備わっているかどうか見るために容器１１０を開けることを望む場合があるため、容器１１０が小売店で陳列されているときに重要であり得る。第２表面凹凸部１５５は、リング１５８、リブ１５２、突起部１５４、毛１５６、繊維、及びこれらの組み合わせからなる群から選択される実施形態が検討される。
【００４４】
毛１５６である第２表面凹凸部１５５に関して、毛１５６は、例えば図８に示されるように毛が長手方向軸に概ね平行に位置合わせされるように、又は長手方向軸Ｌに直交して概ね位置合わせされるように形成されてもよい。かかる構成では、第２表面凹凸部１５５が染みの付いた布地に対してこすり洗いされるとき、キャップ１０が傾けられる傾向がある。したがって、ユーザーがキャップを用いてこすり洗いするとき、通常の力及び剪断力の組み合わせが、染みの付いた布地に送達され、毛１５６は、屈折することによって、ここの毛１５６の効果的なブラッシング運動を生じる傾向があり得る。
【００４５】
毛１５６は、第２表面凹凸部１５５として存在する場合、毛１５６が長手方向軸Ｌからキャップ１０の外面８０の最大半径範囲で入れ子になるように設定されてもよい。かかる構成は、搬送、保管、及び使用中の損傷から毛１５６を保護することができる。同様の利益に関して、毛１５６は、長手方向軸Ｌに沿って最大軸範囲内に毛１５６が入れ子になるように設定することができる。
【００４６】
縁９０が注ぎ口９２の形状を有するキャップ１０の実施例が図１０に示されている。縁９０が、注ぎ口９２の形状を有するキャップ１０が、染みの付いた布地に対する少量の洗剤組成物３００の正確な注入を提供し、並びに染みの前処理中に偶発的に大量の洗剤組成物３００が分与されるのを防ぐのを助けるために実用的であり得る。様々な注ぎ口９２の形状、特に液体流をしっかりと導く傾向のあるこれらの形状が実用的であり得る。
【００４７】
複数の第１表面凹凸部１５０が、注ぎ口９２の先端部において提供され得る。一度少量の洗剤組成物３００が染みの上に注がれると、キャップ１０が第１表面凹凸部１５０が都合良く染みに対してこすられるようにユーザーの手に配置されるように、第１表面凹凸部１５０は有利に配置されてもよい。更に、ユーザーが、染みを前処理するときに少量の洗剤組成物３００のみを注ぎ容積１００内に配置し、キャップ１０をほとんど完全に傾けた場合、注ぎ口９２は依然としてユーザーに見えており、ユーザーは第１表面凹凸部１５０を見ることができ、ユーザーの染みのこすり洗いを観察することができる。注ぎ口９２を有さずに、洗剤組成物３００が分与される側と反対側に配置された縁９０の部分は、第１表面凹凸部１５０及び消費者の染みのこすり洗いの視界を邪魔する場合がある。更に、消費者がその手首を回転するとき、人指し指と親指との間の縁９０上のある位置から流れが生じるように、消費者はキャップ１０から注ぐ傾向があるため、消費者がこれらの機構を活用するためにこれらの機構が便利かつ人間工学的に配置されるように、第１表面凹凸部１５０は配置され得る。例えば、キャップ１０は、縁９０上、キャップ１０上に配置されたコネクタ１３０と縁９０との間、及びこれらの組み合わせからなる群から選択される位置に、複数の第１表面凹凸部１５０を含むことができる。
【００４８】
実用的な注ぎ口９２の１つの代表的な設計は、図１１に示されるように円筒部であってもよい。円筒形の部分の形状を有する注ぎ口９２は、縁９０の許容不可能な量の変形が染みのこすり洗い中に発生しないように、構造的に安定であってもよい。更に、キャップ１０の注ぎ容積１００を洗剤組成物３００で充填した後、ユーザーは洗剤組成物３００の潤滑面を地面と水平に保持しようとする傾向がある場合がある。注ぎ容積１００における洗剤組成物３００の潤滑面が水平に保たれるとき、キャップ１０のプロファイル図は見る者にとって角度の付いた縁９０を呈する。キャップ若しくはカップなど、投与デバイスに対する消費者の期待は、例えば円筒形の注ぎ容積１００を有するキャップの場合のように、キャップの縁９０が地面と水平であるべきであるというものであり得る。したがって、洗剤組成物３００を塗布して、染みを前処理するとき、消費者は、カップ１０から洗剤組成物３００を注ぎ出す際に、キャップの縁９０を自然にかつ直感的に平らにしようと試みる場合がある。消費者は、消費者が手首を回転するとき、流量が消費者の人差し指と親指の間のある位置から生じるように、キャップ１０から注ぐ傾向があり得る。これらの見識を備えて、設計者は、縁９０のどの部分を消費者がそこから注ぐために選択するのかということに大きな影響を有することができる場合がある。消費者を、縁９０の特定部分から注ぐようにさせることによって、設計者はキャップ上の他の機構の位置、例えば第１表面凹凸部１５０、第２表面凹凸部１５５、開口部２２０、注ぎ棚部２１０、堰１６０、及びコレクタ２５０を、これらの形状が便利にかつ人間工学的に、ユーザーの手にキャップ１０を再配置することなくユーザーがこれらの形状を使うことができるように、調整することができる。
【００４９】
１つの例示の実施形態では、縁９０は、基部の外部４０に対して、約５度を超える角度βで傾斜した面に平行であってもよい。１つの例示の実施形態では、縁９０は、基部の外部４０に対して、約１０度を超える角度βで傾斜した面に平行であってもよい。１つの例示の実施形態では、縁９０は、基部の外部４０に対して、約１５度を超える角度βで傾斜した面に平行であってもよい。
【００５０】
縁９０は先端部９４を有してもよく、これは洗剤組成物３００が注ぎ容積１００内に注がれることができるように、平坦な面上にキャップ１０が配置されたとき、縁９０の最も高い部分である。縁９０は堰１６０を備えていてもよい。一実施形態では、縁９０は、基部の外部４０に対して、約５度を超える角度βで傾斜した面に平行であってもよく、縁は基部の外部４０に対する先端部９４を有してもよく、並びにキャップ１０は縁９０上で複数の第１表面凹凸部１５０を含むことができる。
【００５１】
注ぎ口９２を有するキャップ１０は、基部の外部４０の一部分又は外面８０の一部分上に複数の第２表面凹凸部１５５を有することができ、その実施例は図１２に示されている。１つの例示的な実施形態では、先端部９４及び第２表面凹凸部１５５は互いに概ね位置合わせされる。かかる実施形態では、「概ね位置合わせされる」によって、先端部９４及び第２表面凹凸部１５５は、長手方向軸Ｌを中心に、互いに少なくとも約０．２５πラジアン内であるということを意味する。１つの実施形態では、縁９０は先端部９４において堰１６０を有してもよく、先端部９４及び第２表面凹凸部１５５は、互いに概ね位置合わせされてもよい。かかる実施形態では、「概ね位置合わせされる」によって、先端部９４及び第２表面凹凸部１５５は、長手方向軸Ｌを中心に２５、互いに少なくとも約０．２５πラジアン内であるということを意味する。かかる第２表面凹凸部１５５を有する実施形態では、第２表面凹凸部１５５の位置を先端部９４及び堰１６０（存在する場合）と調整することによって、消費者が洗剤組成物３００を注ぎ終わって染みを前処理するとき、消費者はその手にキャップ１０を再配置する必要なく、第２表面凹凸部１５５を用いて染みをこすり洗いするのに正確な位置に第２表面凹凸部１５５があることができる。注いだ後、消費者は第２表面凹凸部１５５が染みの付いた布地に近位に配置された状態で、キャップ１０を直立位置で保持する傾向がある。
【００５２】
注ぎ棚部２１０が、それを通じて縁９０から延びる開口部２２０を有し、縁９０が基部の外部４０に対する先端部９４を有し、開口部２２０が先端部９４と概ね位置合わせされる例示の実施例が図１３に示される。上記に開示されるように、注ぎ棚部２１０は、例えば容器壁部６０又は縁９０から延びてもよい。更に、上記に開示されるように、開口部２２０は、注ぎ棚部２１０と基部２０との間で基部壁部６０にあってもよく、開口部２２０は基部２０よりも注ぎ棚部２１０に近い。これらの実施形態では、「概ね位置合わせされる」によって、開口部２２０及び先端部９４は、長手方向軸Ｌを中心に、互いに少なくとも約０．２５πラジアン内であるということを意味する。これらの形状の様々な組み合わせは所望の利点を提供することができ、並びにキャップ１０として記載されてもよく、注ぎ棚部２１０はそれを通じて基部壁部６０又は縁９０から延びる開口部２２０を有し、縁９０は基部の外部４０に対する先端部９４を有し、開口部２２０は先端部９４と概ね位置合わせされる、又は他の実施形態では、注ぎ棚部２１０は容器平気部６０又は縁９０から延び、開口部２２０は、容器壁部６０において注ぎ棚部２１０と基部２０との間にあり、開口部２２０は基部２０よりも注ぎ棚部２１０に近い。
【００５３】
本明細書に開示の形状の様々な組み合わせを有するキャップ１０は、効果的な染み前処理デバイスを提供することができる。キャップ１０は、任意の位置又は上記の位置の組み合わせにおいて第１表面凹凸部１５０を備えてもよい。キャップ１０は、任意の位置又は上記の位置の組み合わせにおいて第２表面凹凸部１５５を備えてもよい。キャップ１０は、第１表面凹凸部１５０及び第２表面凹凸部１５５を備えていてもよく、これらのそれぞれは、上記の第２表面凹凸部１５５の位置の任意の位置又はこれらの位置の組み合わせに配置される。様々な実施形態は、より正確な注ぎを提供するために、上記のとおり注ぎ口（pouring spout）９２を備えていてもよい。注ぎ口９２は、円筒部であってもよい。本明細書において検討される実施形態のそれぞれは、上記のとおり、それを通じる開口部２２０を有する注ぎ棚部２１０を備えていてもよい。本明細書で検討される実施形態のそれぞれはコレクタ２５０を備えていてもよい。本明細書で検討される実施形態は、正確な注ぎを提供するために、縁９０において堰１６０が提供されてもよい。キャップ１０の形状は、上記の実施形態に関して記載されているように互いに対して配置されてもよい。
【００５４】
キャップ１０は、染みの付いた部分を有する布地物品を前処理する方法において使用されてもよい。本方法は、洗剤を含む容器からキャップ１０を外すことと、容器１１０からキャップ１０内へ洗剤組成物３００の所定の量を注ぐこと、すなわち分与することと、洗剤組成物３００の量の少なくとも一部分を、染みの付いた布地物品の染みの付いた部分に塗布することと、染みの付いた部分をキャップ１０の一部分でこすり洗いすることと、キャップ１０を、洗剤組成物３００を含む容器１１０と再係合することと、を含むことができる。キャップ１０の一部分を用いてこすり洗いするステップは、キャップ１０の縁９０、縁９０と容器１３０との間のキャップ１０の一部分、外面８０、キャップ１０の基部の外部４０、及びこれらの組み合わせからなる群から選択されるキャップ１０の一部分を用いて実施され得る。本方法で使用されるキャップ１０は、様々な実施形態、及び本明細書で検討されるキャップ１０の実施形態の組み合わせのいずれかであってもよい。キャップ１０は、キャップ１０をねじって開け、容器１１０上に配置されたねじ山１３４を、キャップ１０上に配置された対応するねじ山１３４から外すことによって容器１１０から外されてもよい。キャップ１０は、キャップ１０をねじで締めて、容器１１０上に配置されるねじ山１３４を用いて、キャップ１０上でねじ山１３４を係合することによって、容器１１０と再係合され得る。キャップ１０は注ぎ口９２を有し得る。注ぎ口９２は、円筒部であってもよい。キャップ１０内に注がれる洗剤組成物３００の量は洗剤組成物３００の単位容量であってもよい。本方法は、洗濯機のドラム内にキャップを配置するステップを含んでもよい。かかるアプローチでは、染みの前処理の後にキャップ１０に残っている洗剤組成物３００は洗濯に送達され得る。
【００５５】
第１材料及び第２材料の色は、色Ｌ＊、ａ＊、及びｂ＊の値について反射分光光度計により測定される。
【００５６】
色差は、Ｌ＊値、ａ＊値、及びｂ＊値を用いて、ΔＥ＝［（Ｌ＊Ｘ・−Ｌ＊Ｙ）２＋（ａ＊Ｘ・−ａ＊Ｙ）２＋（ｂ＊Ｘ−ｂ＊Ｙ）２］１／２によって算出することができる。ここで、方程式における「Ｘ」は第１材料を表し、「Ｙ」は第２材料を表し、Ｘ及びＹは同時に測定される同じ２つの点ではない。いずれの特定の式差比較についても、Ｘの位置≠Ｙの位置である。
【００５７】
ヴァージニア州レストン所在のハンター・アソシエイツ・ラボラトリー社（Ｈｕｎｔｅｒ  Ａｓｓｏｃｉａｔｅｓ  Ｌａｂｏｒａｔｏｒｙ）より入手したＨｕｎｔｅｒ  Ｌａｂ  ＬａｂＳｃａｎ  ＸＥ反射分光光度計を使用して、反射色を測定する。キャップ１０は、１８℃（６５°Ｆ）〜２４℃（７５°Ｆ）の周囲温度、及び５０％〜８０％の相対湿度において試験する。
【００５８】
分光光度計をＣＩＥＬａｂ色スケールに設定し、Ｄ６５照明を用いる。観察者（Observer）を１０°に設定し、モード（Mode）を４５／０°に設定する。エリアビューを０．３１８ｃｍ（０．１２５インチ）に設定し、ポートサイズを０．５１ｃｍ（０．２０インチ）に設定する。分光光度計を較正してから、供給業者から機器とともに供給される黒のガラス及び白の参照用タイルを用いてサンプルを分析する。較正をＬａｂＳｃａｎ  ＸＥユーザーズマニュアル、マニュアルバージョン１．１（２００１年８月、Ａ６０−１０１０−８６２）に記載されているように製造業者の取扱説明書に従って実施する。参照用タイル又はサンプルのクリーニングが必要な場合、エンボス加工、ローション、又は光沢剤を含まないティッシュ（例えば、ＰＵＦＦＳティッシュ）のみを使用する。分析対象となる色を含むキャップ上の任意のサンプル点を選択できる。
【００５９】
キャップ１０は、そのキャップ１０の背後に配置された白いクランプディスクを配置した状態で、分光光度計のサンプルポートの上に置く。
【００６０】
キャップ１０を取り外し、再配置して、少なくとも６回、キャップ１０の色を測定する。可能な場合（例えば、対象となる要素上の付与された色のサイズが、６個の別個の異なる互いに重なり合わない試料点を得ることを制限しない場合）、どの２個の試料点も重なり合うことがないように、各読み取りを外側に見える表面上の実質的に異なる領域で実施する。第１材料及び第２材料を含むキャップの部分のサイズは、サンプル点の重なり合いを必要とする場合、どの２つのサンプル点間の重なり合いも最小限に抑えるように選択されたサンプル点をもつ、６つのサンプルだけを取得すべきである。測定値を平均して、外側に見える要素の表面上の指定された色について記録されたＬ＊、ａ＊、及びｂ＊値を得る。
【００６１】
第１材料及び第２材料は、ΔＥが約１より大きい場合、異なる色を有すると考えられる。
【００６２】
キャップ１０が基部の外部４０上に表面凹凸部の２つの領域を含む実施形態が図１４に示される。基部の外部４０は、その上部に配置される第１領域４００及び第２領域４１０を有してよい。第２領域４１０は第１領域４００に隣接してよい。第１領域４００は複数の第１表面凹凸部１５０を含んでよく、第２領域４１０は複数の第２表面凹凸部１５５を含んでよい。表面の各領域は異なる利点を不規則にもたらすことができる。例えば、第１表面凹凸部１５０は、布地又は衣類上の染みのこすり洗いに使用できるこすり洗い具を提供できる。第２表面凹凸部１５５は、洗剤組成物３００をかかる染み上に塗り広げることができる塗り広げ具を提供、又は第１表面凹凸部１５０で染みをこすり洗いすると生じ得る洗剤組成物３００の境界層を破壊する粗面を提供できる。
【００６３】
基部の外部４０上又は基部の外部４０に近接する容器壁部６０上に第１表面凹凸部１５０のみを有するキャップ１０では、一部の消費者は、第１表面凹凸部１５０及び基部の外部４０の残り部分が染みに面するようにして、染みに面する基部の外部４０での染みのこすり洗いを選択することにより、本明細書に開示されるようにキャップ１０を使用し得る可能性がある。つまり、注ぎ容積１００を洗剤組成物３００の単位容量で充填するとき、キャップ１０は、消費者がキャップ１０を置く位置と本質的に同一の場所に配置され得る。第１表面凹凸部１５０を含まない基部の外部４０の部分が概ね平坦である場合、レジャーでプールの滑り台を滑り降りるとき、又は滑らかな濡れた床を滑るときに水の薄層上を人が滑らかに動くのによく似て、その基部の外部４０の部分は洗剤組成物３００上を滑らかに動くことができる。このような結果は、処理される布地とキャップ１０との間に境界層を形成する洗剤３００の薄層が、第１表面凹凸部１５０と処理される布地との間を分離する、又は接触を低下させる（直接的接触がない）のに十分な粘度がある場合、望ましくないことがある。高粘度を有する最近の液体洗剤処方などの粘度が高く高密度の液体は、こすり洗い中に生じ得るように激しくせん断すると、境界層をかなり形成する。そのような液体の力が生じる場合、第１表面凹凸部１５０は処理される染みに接触できず、キャップ１０は染みの付いた布地周囲を滑る場合があり、染みの付いた布地は摩擦抵抗を示すことができない。キャップ１０が、第１表面凹凸部１５０のみ、若しくはほぼ第１表面凹凸部１５０のみが処理される染みに接触するように僅かに傾けられている場合、又はキャップ１０が滑ることのできる液体の境界層が生じないようにキャップ１０が傾いている場合に、ユーザーはこの懸念を緩和することができる。
【００６４】
第１表面凹凸部１５０の形状は第２表面凹凸部１５５と異なっていてよい。この形状は、１つの形状がこすり洗いを提供し、もう片方が洗剤組成物３００の境界層発生を妨害するという点で、異なる利点をもたらすように異なっていてもよい。キャップの基部の外部４０に異なる領域が存在して異なる機能をもたらすことができ、染みのこすり洗いに適切な領域を選択できることを消費者に認識させるのに、このような形状の違いを役立てることもできる。
【００６５】
第１表面凹凸部１５０の形状は、高さ、直径、アスペクト比、様々な表面の曲率が挙げられるが、これらに限定されない特徴により、第２表面凹凸部１５５と異なっていてよい。例えば、第１表面凹凸部１５０は概ね円柱状形であってよく、第２表面凹凸部は不規則で粗い質感であってよい。
【００６６】
複数の第１表面凹凸部１５０の先端部４２０は、複数の第２表面凹凸部１５５の先端部４２０と同一面内にあってよい。かかる構成は、洗剤組成物３００が注ぎ容積１００内に注がれることができるように、表面上に安定して設置できるキャップ１０を提供するのに実用的であり得る。洗剤組成物３００を充填すると、注ぎ容積１００は液面を有することができ、ここで複数の第１表面凹凸部１５０の先端部４２０と、複数の第２表面凹凸部１５５の先端部は液面に対して平行、又は実質的に平行である。注ぎ容積１００内に注がれるとき、液面は洗剤組成物３００の自由表面である。
【００６７】
高密度液体洗剤組成物３００では、注ぎ容積１００は、約１０ｍＬ〜約２００ｍＬの注ぎ容積１００をもたらすような大きさかつ寸法であってもよい。高密度液体洗剤組成物３００のコンパクトさに応じて、注ぎ容積１００は、約３０ｍＬ〜約１００ｍＬの注ぎ容積１００をもたらすような大きさかつ寸法であってもよい。高密度液体洗剤組成物３００のコンパクトさに応じて、注ぎ容積１００は、約４５ｍＬ〜約７７ｍＬの注ぎ容積１００をもたらすような大きさかつ寸法であってもよい。容器壁部６０は、約２２５ｍｍである長手方向軸Ｌを中心とした放射状の外周を画定できる。容器壁部６０は、約６７ｍｍの高さを有してよい。
【００６８】
第１表面凹凸部１５０は熱可塑性エラストマーからなってよい。第２表面凹凸部１５５は熱可塑性エラストマーからなってよい。第１表面凹凸部１５０及び第２表面凹凸部１５５は熱可塑性エラストマーからなってよい。処理される布地をこするとき、熱硬化性材料とは対照的に熱可塑性エラストマーは布地に優しい場合があるため、熱可塑性エラストマーを第１表面凹凸部１５０及び／又は第２表面凹凸部１５５に用いることは有利であり得る。熱可塑性エラストマーは、第１表面凹凸部、第２表面凹凸部、及びこれらの組み合わせからなる群から選択される表面凹凸部を形成してよい。
【００６９】
第１表面凹凸部１５０、第２表面凹凸部１５５、並びに第１表面凹凸部１５０及び第２表面凹凸部１５５の両方が、アクリロニトリルブタジエンスチレンであってよい。容器壁部６０及び／又は基部２０は、本明細書に記載される実施形態において熱硬化性材料からなってよい。容器壁部６０及び／又は基部２０は、アクリロニトリルブタジエンスチレンからなってよい。容器壁部６０及び／又は基部２０は、ポリプロピレンからなってよい。容器壁部６０及び／又は基部２０は、Ｔｈｅ  Ｐｒｏｃｔｅｒ  ＆  Ｇａｍｂｌｅ  Ｃｏ．（Ｃｉｎｃｉｎｎａｔｉ，ＯＨ）製造の液体洗剤ＴＩＤＥのパッケージのキャップに使用されている材料からなってよい。容器壁部及び／又は基部２０は、Ｆｌｉｎｔ  Ｈｉｌｌｓ  Ｒｅｓｏｕｒｃｅｓ，ＬＰ（Ｗｉｃｈｉｔａ，Ｋａｎｓａｓ，Ｕ．Ｓ．Ａ．）から入手できるＦｌｉｎｔｈｉｌｌｓ  ＡＰ５５２０ＨＡからなってよい。
【００７０】
容器壁部６０及び／又は基部２０がポリプロピレンであり、熱可塑性エラストマーが第１表面凹凸部１５０及び／又は第２表面凹凸部１５５のいずれか又は両方に用いられる場合、熱可塑性エラストマーはポリプロピレンに適合し得る種類になるように選択できる。熱可塑性エラストマーが使用される一実施形態では、第１表面凹凸部１５０、第２表面凹凸部、及びこれらの組み合わせからなる群から選択される表面凹凸部に使用される熱可塑性エラストマーは、ＧＬＳ  Ｔｈｅｒｍｏｐｌａｓｔｉｃ  Ｅｌａｓｔｏｍｅｒｓ（ＭｃＨｅｎｒｙ，Ｉｌｌｉｎｏｉｓ，Ｕ．Ｓ．Ａ．）から入手できるＶＥＲＳＡＦＬＥＸ  ９５００であってよい。
【００７１】
キャップ１０の異なる部分に異なる利点をもたらすため、及び／又はキャップ１０の製造コストを最適化するために、第１表面凹凸部１５０及び容器壁部６０が互いに異なる化学組成の材料からなる、キャップ１０を有することが実用的であり得る。同様に、キャップ１０の異なる部分に異なる利点をもたらすため、及び／又はキャップ１０の製造コストを最適化するために、第１表面凹凸部１５０及び第２表面凹凸部１５５が互いに異なる化学組成の材料からなることが実用的であり得る。例えば、第１表面凹凸部１５５は柔軟なこすり洗い面を提供する熱可塑性エラストマーであってよく、第２表面凹凸部１５５は、洗剤組成物３００の境界層を破壊するためのでこぼこした剛性の形状特性を提供し、耐久性のある熱硬化性材料であってよい。
【００７２】
容器壁部６０は、第１表面凹凸部１５０を超えるショアＡ硬度を有する材料からなり、消費者がキャップ１０を把持して容器１１０からキャップ１０を外す際に硬く、消費者製品の製造中に容器１１０への取り付けに耐えるのに十分に硬く、かつ、搬送及び保管に耐えるのに十分に硬い剛性容器壁部を提供できる。
【００７３】
図１４に示すように、基部の外部４０は非平面であってよい。複数の第１表面凹凸部１５０の先端部が複数の第２表面凹凸部１５５の先端部と同一面内にあり、基部の外部４０が平面である場合、第１表面凹凸部１５０及び／又は第２表面凹凸部１５５の高さを多様にすることが困難な場合がある。第１表面凹凸部１５０及び／又は第２表面凹凸部１５５の高さＨを多様にすることは、多様な高さＨにより、キャップ１０のどの部分が染みの前処理に最も効果的であり得るのかについて、消費者に対して視覚的合図を提供できるため、望ましい場合がある。例えば、図１４に示すように、第１表面凹凸部１５５は、基部２０が容器壁部６０と連結される位置に近接する高さＨで最も高い。第１表面凹凸部１５０が高いと、低い第１表面凹凸部よりも効果的であると消費者が認識する場合があるため、基部２０が容器壁部６０と連結される位置に近接する第１領域４００の縁部に最も効果的なこすり洗い面が位置するようにキャップ１０をデザインでき、そのように使用されるキャップ１０が人間工学的使用を提供できると、消費者が理解する場合がある。第１表面凹凸部１５０は高さＨが変化してよい。第２表面凹凸部１５５は高さＨが変化してよい。第１表面凹凸部１５０及び第２表面凹凸部１５５は高さＨが変化してよい。第１表面凹凸部１５０は毛１５６であってよい。第１表面凹凸部１５０は高さが変化する毛１５６であってよく、毛の高さは長手方向軸Ｌからの距離に応じて高くなる。したがって、周辺部５０に近接する毛は周辺部５０から離れた毛１５６よりも高い。かかる実施形態では、第１表面凹凸部の先端部４２０が互いに同一面内に存在できるように、基部の外部４０は非平面（起伏のある）であってよい。先端部４２０からの距離に応じて同一の断面積を有する毛１５６では、荷重下における各毛１５６の変形度合いは、高さに応じて大きくなる。したがって、毛１５６が長いと、短い毛１５６よりも可撓性があり、布地に優しいと消費者に認識され得る。第１表面凹凸部、第２表面凹凸部、及びこれらの組み合わせからなる群から選択される表面凹凸部は高さが変化してよい。
【００７４】
基部の外部４０は基部の外部の表面積４１を有し、これは基部の外部４０の表面の面積である。染みの前処理に効果的な十分に大きい第１領域４００を有するキャップ１０を提供するために、第１領域４００は基部の外部の表面積４１の約１０％〜約９０％を構成することができる。基部の外部４０と前処理される布地との間の洗剤組成物３００の境界層形成を破壊するのに効果的な十分に大きい第２領域４１０を有するキャップ１０を提供するために、第２領域４１０は、基部の外部の表面積４１の約１０％〜約９０％を構成することができる。第２領域４１０は基部の外部の表面積４１の５０％超を構成することができる。
【００７５】
第１領域４００は基部の外部の表面積４１の５０％未満を構成することができる。かかる構成を有することにより、第１領域４００がキャップの基部２０の残り部分と視覚的に対比されるため、基部の外部４０のその他領域又は部分と比較して、第１領域４００が特有の特性及び／又は性能をいくらか有することが消費者により認識され得るであろう。人間工学的使用を提供するために、第１領域４００は注ぎ口９２の形状を有する縁９０の一部と概ね位置合わせしてよい。消費者が少量の洗剤組成物３００を注ぎ口９２から染み上に注ぐと、こすり洗いによる染みの前処理に使用できる第１領域４００は、消費者にキャップ１０を回転させる、又は手首の位置を変えさせることなく、既に消費者が使用する適切な位置にある。
【００７６】
第１領域４００は基部の外部の表面積４１の約１０％〜約４０％を構成することができる。第２領域は基部の外部の表面積４１の約６０％〜約９０％を構成することができる。
【００７７】
新たな製品形態を消費者に売り出す際の課題の１つは、消費者が新たな習慣、特に製品による消費者満足を高めることができる習慣を身につけるのをサポートすることである。消費者が、本明細書に開示されるようなキャップ１０の機能性及びキャップ１０の使用法を理解するのをサポートするため、キャップ上に文書形態又は図形形態で示されるキャップ１０の使用説明４３０を提供することが実用的であり得る。使用説明４３０は、容器１１０を開封し、製品を使用し始めるときに、消費者に使用説明が見えるように、有利には基部２０上に取り付けてよい。文書形態の使用説明は「Ｘでの前処理」であってよく、このときＸは容器１１０に含まれる洗剤組成物３００のブランド名である。キャップ１０の機能性を消費者に伝えるだけに必要な使用説明など、その他使用説明も想到される。図形形態の使用説明は、所望の方法でキャップ１０を把持している人の手、及び動作を示す矢印やその他しるしといった、キャップ１０の使用方法についての図の表示であってよい。
【００７８】
図１４に示すキャップ１０のプロファイル図を、キャップ１０の一部を切り取って図１５に示す。図１５に示されるように、キャップ１０を平らに置けるように、第１表面凹凸部１５０の複数の先端部４２０は複数の第２表面凹凸部１５５の先端部４２０と同一面内にある。更に図１５に示されるのは、洗剤組成物３００が注ぎ容積１００内に注がれた後の洗剤組成物３００の液面４４０である。
【００７９】
特に指示のない限り、本明細書で使用される全ての百分率及び比率は、全組成物の重量を基準とし、かつ全ての測定は２５℃にて行われる。１角度は、完全回転の１／３６０に等しい大きさの角度指標の平面単位である。
【００８０】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【００８１】
引用される全ての文献は、その関連部分において参照により本明細書に組み込まれるが、いずれの文献の引用もそれが本発明に関連する先行技術であることの容認として解釈されるべきではない。
【図１】
2013536127.tif 000003
【図２】
2013536127.tif 000004
【図３】
2013536127.tif 000005
【図４】
2013536127.tif 000006
【図５】
2013536127.tif 000007
【図６】
2013536127.tif 000008
【図７】
2013536127.tif 000009
【図８】
2013536127.tif 000010
【図９】
2013536127.tif 000011
【図１０】
2013536127.tif 000012
【図１１】
2013536127.tif 000013
【図１２】
2013536127.tif 000014
【図１３】
2013536127.tif 000015
【図１４】
2013536127.tif 000016
【図１５】
2013536127.tif 000017
【国際調査報告】
2013536127.tif 000018
2013536127.tif 000019